(57)【要約】【課題】  少ない作業量で確実に施工できる枠体を提供する。【解決手段】  互いに平行に配設された複数の梁１０・１０間に掛け渡される枠体１ａ・１ｂであって、前記梁１０・１０に直交して互いに平行に配設された複数の根太材２・２と、隣接する前記梁１０・１０間の距離より短い間隔で互いに平行に配設され、隣接する前記根太材２・２を当該根太材２・２の上面より低い位置で結合する複数のつなぎ材３・３とから構成される。【選択図】  図２
2006083646.tif 000002
【特許請求の範囲】
【請求項１】
互いに平行に配設された複数の梁間に掛け渡される枠体であって、前記梁に直交して互いに平行に配設された複数の根太材と、隣接する前記梁間の距離より短い間隔で互いに平行に配設され、前記根太材の上面より低い位置で隣接する前記根太材を結合する複数のつなぎ材とから構成されてなる枠体。
【請求項２】
前記根太材が中空部を有していることを特徴とする請求項１に記載の枠体。
【請求項３】
前記つなぎ材が中空部を有していることを特徴とする請求項１又は請求項２に記載の枠体。
【請求項４】
前記つなぎ材の下面に、前記梁側に張り出すように取り付けられた押さえ材を有することを特徴とする請求項１から請求項３までの何れか一項に記載の枠体。
【請求項５】
前記押さえ材は前記つなぎ材の長手方向中央位置に配置されていることを特徴とする請求項４に記載の枠体。
【請求項６】
前記根太材の下面と前記押さえ材の上面とで前記梁の少なくとも一部を挟むことにより、前記梁に固定できるようにしたことを特徴とする請求項５に記載の枠体。
【請求項７】
前記根太材の下面と前記梁の上面との間、及び、前記押さえ材の上面と前記梁の下面との間に、緩衝材を介在させたことを特徴とする請求項６に記載の枠体。
【請求項８】
隣接する前記梁間に複数個の枠体を掛け渡す際に、梁の長手方向に少なくとも１つ飛ばしに配設したことを特徴とする請求項１から請求項７までの何れか一項に記載の枠体。
【請求項９】
前記枠体の最も外側にある根太材と、隣接する別の枠体の最も外側にある根太材とを、締結具により結合して、複数の枠体を一体化したことを特徴とする請求項１から請求項７までの何れか一項に記載の枠体。
【請求項１０】
前記枠体の中空部の全部または一部に粒状体を充填したことを特徴とする請求項２から請求項９までの何れか一項に記載の枠体。
【請求項１１】
前記根太材の上面に床下地面材が貼り付けられていることを特徴とする請求項１から請求項１０までの何れか一項に記載の枠体。
【請求項１２】
隣接する梁間に複数個の請求項１から請求項１０までの何れか一項に記載の枠体を掛け渡し、枠体を梁に固定した後、前記根太材の上面に床下地面材を貼り付けることを特徴とする床施工方法。
【発明の詳細な説明】
【技術分野】
【０００１】
本発明は主要には、住宅分野の例えば床構造において使用される枠体の構成に関する。
【背景技術】
【０００２】
従来から住宅分野において、床衝撃音を低コストで可及的に低減させるために、及び、現場での施工性を容易にするために、技術開発が盛んに行われている。
【０００３】
例えば特許文献１は、下端に遮音構造材が掛け渡された梁材と、隣接梁材間に掛け渡され、ビスで梁材の上面に固定された根太材と、根太材と直交し根太下面にビス止めされた中間梁と、根太材の上面に釘打ちされた床下地面材からなる床構造を開示する。この構成では、床下地面材、根太材、中間梁からなる床構成材と遮音構造材とを直接接触させない構成とすることで、床衝撃音を防止している。
【０００４】
また特許文献２は、梁材の上側フランジの両端を上方に曲げ上げた立ち上がり壁に、端部に設けた下向きヘアピン形状のクリップを上から差し込んで固定した床パネルが開示されている。このような構成とすることで、作業者に熟練や特殊技能を必要としない床材と梁材との接合方法が提供されるとしている。
【特許文献１】特開２００３−９６９６３号公報
【特許文献２】特開平１１−２２０８８号公報
【発明の開示】
【発明が解決しようとする課題】
【０００５】
しかし、上記特許文献１の構成は、梁材に根太材の両端を１本ずつ計２箇所ずつネジ止めし、あるいは金物で締結する必要があり、建築現場での作業量が多くなってしまう。一方、特許文献２のようにクリップで梁材上面に設けた垂直壁を挟むだけの床固定方法を採った場合、施工作業量は減少するものの、大きな衝撃力が作用したり、あるいは長年の使用によって、床の位置がズレたり、極端な場合は床が外れたりするおそれがある。
【課題を解決するための手段及び効果】
【０００６】
本発明の解決しようとする課題は以上の如くであり、次にこの課題を解決するための手段とその効果を説明する。
【０００７】
◆本発明の観点によれば、互いに平行に配設された複数の梁間に掛け渡される枠体であって、前記梁に直交して互いに平行に配設された複数の根太材と、隣接する前記梁間の距離より短い間隔で互いに平行に配設され、前記根太材の上面より低い位置で隣接する前記根太材を結合する複数のつなぎ材とから構成されてなる、枠体が提供される。
【０００８】
これにより、つなぎ材と梁とを固定することにより、つなぎ材により一体化された根太を梁に固定することができる。この結果、梁への固定箇所が低減するので、建築現場における床施工の工数を大幅に低減できる。更に、つなぎ材の上面が根太材の上面より下の位置にあるから、つなぎ材に固定ボルトを貫通させても、ボルトの頭が、根太材の上面に貼られた床下地面材と干渉しない。従って、床下地面材を切り欠く等の干渉防止対策が不要になる（床下地面材との干渉防止効果）。また、梁の上面に柱が立つ場合でも、つなぎ材の部分で梁に固定すれば、柱と枠体との干渉を防止することもできる（柱との干渉防止効果）。加えて、枠体を梁から防振支持する場合には、つなぎ材と梁とが干渉しないので、枠体の形状を変更することなく剛な支持から防振支持に変更することが可能である（梁との干渉防止効果）。
【０００９】
◆前記の枠体においては、前記根太材が中空部を有していることが好ましい。
【００１０】
これにより、枠体の軽量化を図ることができる。また、床下地面材を根太材に例えばネジや釘を用いることで容易かつ強固に固定することができる。
【００１１】
◆前記の枠体においては、前記つなぎ材が中空部を有していることが好ましい。
【００１２】
これにより、枠体の軽量化が図られる。また、つなぎ材を根太材に例えばネジや釘を用いて容易かつ強固に固定することができる。
【００１３】
◆前記の枠体においては、前記つなぎ材の下面に、前記梁側に張り出すように取り付けられた押さえ材を有することが好ましい。
【００１４】
これにより、枠体と梁との固定が一層強固となり、施工後の長年の使用にも十分耐えることができる。
【００１５】
◆前記の枠体においては、前記押さえ材は前記つなぎ材の長手方向中央位置に配置されていることが好ましい。
【００１６】
これにより、根太材と根太材の中央位置で枠体を固定できるので、枠体の固定が安定し且つ確実である。
【００１７】
◆前記の枠体においては、前記根太材の下面と前記押さえ材の上面とで前記梁の少なくとも一部を挟むことにより、前記梁に固定できるようにすることが好ましい。
【００１８】
これにより、例え最小構成の枠体（２本の根太材が２本のつなぎ材で一体化された構成の枠体）でも、最も安定度の高い３点固定で梁に対し固定されることとなるから、枠体と床下地面材とからなる床構成材の剛性が増大して、床構成材の振動を低減できる。
【００１９】
◆前記の枠体においては、前記根太材の下面と前記梁の上面との間、及び、前記押さえ材の上面と前記梁の下面との間に、緩衝材を介在させたことが好ましい。なお、「梁の上面」／「梁の下面」とは、梁の最上面／最下面のみならず、梁の一部分の上面／下面の場合も含む。
【００２０】
これにより、根太材の両端のみでの防振支持と比較して床構成材の振動が抑えられ、防振効果を損なうことなく床衝撃音を効果的に低減させることができる。
【００２１】
◆前記の枠体においては、隣接する前記梁間に複数個の枠体を掛け渡す際に、梁の長手方向に少なくとも１つ飛ばしに配設することが好ましい。
【００２２】
これにより、少ない部材で床を構成することができるとともに、梁に枠体を固定する箇所を著しく減少させることができる。
【００２３】
◆前記の枠体においては、前記枠体の最も外側にある根太材と、隣接する別の枠体の最も外側にある根太材とを、締結具により結合して、複数の枠体を一体化することが好ましい。
【００２４】
この構成では、複数の枠体が一体化することにより、床構成材の剛性を一層向上させ得る。
【００２５】
◆前記の枠体においては、前記枠体の中空部の全部または一部に粒状体を充填することが好ましい。
【００２６】
これにより、床仕上げ材、床下地面材、複数の枠体から構成される床構成材の問題となる振動モードにおける振幅の腹の位置に所要の粒状体が充填され、粒状体の一部が跳躍して床構成材に効果的に振動減衰を付与できるとともに、残りの粒状体が付加質量となって、振幅の腹の位置に粒状体が充填されていると有効となる質量が増大し、床衝撃音を効果的に防止できる。
【００２７】
◆前記の枠体においては、前記根太材の上面に床下地面材を貼り付けたことが好ましい。
【００２８】
これにより、床下地面材を工場等で予め施工しておき、それを建築現場へ搬送して貼り付けるといった施工態様が可能になる。従って、建築現場での作業量を低減でき、効率良い施工が行える。
【００２９】
◆一方、床下地面材を貼り付けていない状態の枠体を、隣接する梁間に複数個掛け渡しておき、枠体を梁に固定した後、前記根太材の上面に床下地面材を貼り付ける床施工方法も考えられる。
【００３０】
この方法を採った場合、床下地面材を千鳥状に隙間無く施工することができるので、上記の場合のように隙間を埋める材料が不要となる。また、床下地面材を複数の枠体に掛け渡すことができるので、前記床構成材の剛性を一層向上させ得る。
【発明を実施するための最良の形態】
【００３１】
次に、発明の実施の形態を説明する。図１は本発明の一実施形態に係る枠体を梁間に設置した様子を示す平面図、図２は同じく斜視図、図３は枠体の梁への固定箇所を詳細に示す拡大斜視図である。
【００３２】
図１及び図２には住宅の２階の床部分の基礎構造の一部が示され、断面Ｉ型の複数本の梁１０・１０が互いに平行に配設されている。この梁１０・１０の間に掛け渡されるように、２つの枠体１ａ，１ｂが設置されている。一側の梁１０からは、２本の柱材１１・１１が上向きに突設されている。
【００３３】
第１実施形態の枠体１ａは、上記梁１０・１０に直交する向きに互いに配設された複数本（２本）の根太材２・２を、２本のつなぎ材３・３で結合した構成としている。根太材２及びつなぎ材３は、例えば鋼製の薄肉形材を使用して形成することが考えられる。根太材２の上面には、例えばパーティクルボードや構造用合板などからなる床下地面材が敷設され、その上面にフローリングや建材畳などの床仕上げ材が施工される。
【００３４】
図１に示すように、２本のつなぎ材３・３の外側同士の間隔Ｌ２は、上記枠体１ａが掛け渡される２本の梁１０・１０の内側同士の間隔Ｌ１よりもやや短い間隔とされている。また図２に示すように、それぞれのつなぎ材３・３の上面は、前記根太材２・２の上面よりも低く位置している。更に図２に示すように、それぞれの根太材２・２は角パイプ状に構成しており、中空部を有するように構成されている。
【００３５】
次に、図３を参照して、枠体１ａの梁１０・１０への取付けについて説明する。互いに平行な根太材２・２の両端が、梁１０・１０の上に載置される。そして、根太材２・２の両端部に位置する前記つなぎ材３の長手方向中央には、貫通状のボルト孔４が上下方向に穿設される。このボルト孔４には固定ボルト５が上下方向に挿通される。なお図３に示すように、つなぎ材３も中空部を有する角パイプ状に構成している。
【００３６】
前記つなぎ材３の長手方向中央部分の下面には、垂直部と水平部とを有するＬ字型の押さえ材６が設置される。この押さえ材６の水平部の先端は、Ｉ型の前記梁１０の上フランジの下側（上フランジと下フランジとの間）に向かって張り出すように延びるとともに、その先端上面に押さえ面７を構成している。押さえ材６には前記固定ボルト５を挿通させる孔８が形成されており、この孔８に固定ボルト５を通すとともにナット９を螺着することで、押さえ材６をつなぎ材３に取り付けている。また、固定ボルト５を回転させて締め付けることで押さえ材６を上昇させ、根太材２・２の端部の下面と押さえ材６の上面（押さえ面７）とで梁１０の上フランジを上下から挟んで固定できるようになっている。
【００３７】
図４には枠体１ａ，１ｂを防振支持する場合の取付例が示されており、根太材２の下面と梁１０の上フランジの上面との間、及び、前記押さえ材６の上面（押さえ面７）と梁１０の上フランジの下面との間に、例えば合成樹脂製のブロック状の緩衝材２０が介在されている。この結果、３点での安定した防振支持が実現される。
【００３８】
なお、図１及び図２に示す第２実施形態の枠体１ｂは、根太材２・２同士を結合するつなぎ材３の数を増やしたものであり、その他の構成は前述の第１実施形態と同様である。２つの枠体１ａ，１ｂは、梁１０の長手方向に、当該枠体１ａ，１ｂの幅１つ分くらいの間隔をあけて（言い換えれば、１個飛ばしに）配置されている。
【００３９】
図５に示すのは変形例であり、枠体１ｂ’及び１ｂ”は、互いに平行に配設された３本の梁１０のうち、中間の梁１０を跨ぐようにして、外側の梁１０・１０の間に掛け渡されている。枠体１ｂ’・１ｂ”の最も外側のつなぎ材３・３にはそれぞれ前記押さえ材６が取り付けられて、当該つなぎ材３・３を外側の梁１０・１０に固定している。更に枠体１ｂ’・１ｂ”の中間位置のつなぎ材３にも同じく押さえ材６が取り付けられて、当該つなぎ材３を中間の梁１０に固定している。
【００４０】
なお、図１及び図５において、枠体１ａ・１ｂ・１ｂ’・１ｂ”の固定方法については、図３に示す剛な支持とするか、図４に示す防振支持とするか、任意の方法を選択できる。
【００４１】
以上に示すように、本発明の枠体１ａ・１ｂは、梁１０に直交して互いに平行に配設された複数の根太材２・２と、枠体１ａ・１ｂが掛け渡される梁１０・１０の間隔Ｌ１よりもやや短い間隔Ｌ２を有しながら互いに平行に配設され、前記根太材２・２を互いに結合する複数のつなぎ材３・３と、を有する。更に、前記つなぎ材３・３は、前記根太材２の上面より低い位置で前記根太材２・２を結合する構成になっている。
【００４２】
従って、つなぎ材３と梁１０とを固定することにより、根太材２を梁１０に直接固定することとほぼ同等の固定状態が実現される。この結果、梁１０への固定箇所を少なくでき、建築現場における床施工の工数を大幅に低減できる。
【００４３】
更に図２に示すように、つなぎ材３の上面が根太材２の上面より下の位置にあるから、つなぎ材３に梁１０への固定のための固定ボルト５を通しても、その固定ボルト５の頭部が根太材２の上面から突出しない。従って、その後の工程で根太材２の上面に床下地面材を貼る際も、その固定ボルト５との干渉を避けるべく床下地面材に切欠を設ける等の対策が不要になる。
【００４４】
また、梁１０の上面に柱材１１が立設されている場合でも、つなぎ材３の部分を梁１０に固定することで、柱材１１と枠体との干渉を防止できる。即ち図１や図２に示すように、２本の根太材２・２の間の位置に柱材１１が来るように、言い換えれば、最も外側のつなぎ材３のすぐ脇に柱材１１が来るように、枠体１ｂを配置することで、枠体１ｂと柱材１１との干渉を容易に回避できる。なお前述したとおり、押さえ材６は梁１０の上フランジの下側へ張り出すように構成しているから、上フランジの上側に立設される柱材１１と押さえ材６とが互いに干渉することもない。なお押さえ材６は、本実施形態では、梁１０の一部分（上フランジ）の下側に張り出しているが、梁１０全体の下側に張り出していてもよい。また、押さえ材６が梁１０の下側に張り出す場合にも限定されず、梁１０側に向かって張り出していれば良い。
【００４５】
更に、前記の枠体１ａ・１ｂにおいては、根太材２が中空部を有しているので、枠体１ａ・１ｂの軽量化が実現されるとともに、床下地面材を根太材２にネジや釘などを用いることで容易かつ強固に固定できる。加えて、つなぎ材３も中空部を有しているので、枠体１ａ・１ｂを軽量化できるとともに、例えばタッピングネジ等を用いることで、つなぎ材３を根太材２に固定することも容易である。
【００４６】
また、前記枠体１ａ・１ｂは、前記つなぎ材３の下面に、梁１０の上フランジの下側に張り出すように取り付けられた押さえ材６を有する。従って、枠体１ａ・１ｂと梁１０との固定が一層強固となり、施工後の長年の使用にも十分耐えることができる。
【００４７】
加えて、前記押さえ材６は、前記つなぎ材３の長手方向中央位置に配置されている。従って、枠体１ａ・１ｂの固定箇所が２本の根太材２・２の間のほぼ中央位置になるので、梁１０・１０への固定が安定的かつ確実になる。
【００４８】
更に、前記枠体１ａ・１ｂは、根太材２の下面と押さえ材６の上面（押さえ面７）とで梁１０の一部すなわち前記上フランジを挟むことにより、梁１０に固定できる構成となっている。これにより、例え最小構成の枠体（２本の根太材２・２が２本のつなぎ材３・３で一体化された構成の枠体を意味し、第１実施形態の枠体１ａが相当する）でも、最も安定度の高い３点固定で梁１０に対し固定されることになる。従って、枠体１ａ・１ｂと床下地面材とからなる床構成材の剛性が増大して、床構成材の振動を低減できる。また、簡単な方法で枠体１ａ・１ｂを梁１０・１０に固定できる。
【００４９】
また、図４に示すように、根太材２の下面と梁１０の上フランジの上面との間、及び、前記押さえ材６の上面（押さえ面７）と梁１０の上フランジの下面との間に、緩衝材２０を介在させることで、３点での安定した防振支持が実現される。従って、根太材２の下面と梁１０の上面との間にのみ緩衝材２０を介在させた場合に比較して、床構成材の振動が抑制され、防振効果を損なうことなく床衝撃音を効果的に低減できる。
【００５０】
上記のことは即ち、枠体１ａ・１ｂを梁１０に対して防振支持する場合でもつなぎ材３と梁１０とが干渉しないので、枠体１ａ・１ｂの主要部分の構成を変更することなく、剛な支持（図３）から防振支持（図４）に変更することが容易であることを意味する。即ち、剛な支持から防振支持に変更するには、図３の押さえ材６を取り外し、代わりに図４に示すように、ほぼ前記緩衝材２０の高さ分だけ垂直部を延伸させた形状の押さえ材６を用いるだけで良い。
【００５１】
更に、図１に示すように、隣接する梁１０・１０の間に複数個の枠体１ａ・１ｂを掛け渡す際に、両枠体１ａ・１ｂを梁１０の長手方向に１つ飛ばしに配設することで、少ない部材で床を構成でき、また、梁１０に枠体を固定する箇所を更に著しく減少させることができる。
【００５２】
一方、図５に示すように、各枠体１ａ・１ｂ’・１ｂ”を間隔を殆どおかずに配置することも可能である。なお、図５の配置例では、各枠体１ａ・１ｂ’・１ｂ”の最も外側にある根太材２（本実施形態の枠体１ａ・１ｂ’・１ｂ”は根太材２が２本の構成であるので、いずれもが最も外側の根太材２に該当する）は、隣接する別の枠体の最も外側にある根太材２に対し、図示しない締結具により結合することとしている。締結具としては、例えば公知のボルトやタップネジとすることが考えられる。こうすることで、複数の枠体１ａ・１ｂ’・１ｂ”が相互に一体化され結合されて、床構成材の剛性を良好に向上させることができる。
【００５３】
更に、図６の要部断面図に示すように、根太材２の中空部に袋体１２を挿入し、この袋体１２の内部に粒状体１３を充填しても良い。袋体１２としては、内外表面をゴム質でコーティングしたものが望ましい。粒状体１３としては砂などの非金属材料も使用できるが、金属材料のように、適度の重量を有し、形状が揃っていて、安価であることが望ましく、例えば還元ペレットが好ましい。また、粒状体１３として非金属材料やスラグを用いる場合は、袋体１２を省略しても良い。粒状体１３は、床構成材の振動モードにおける振幅の腹の位置に充填することが好ましい。こうすると、床構成材が振動しても、前記粒状体の一部が跳躍して床構成材に効果的に振動減衰を付与できるとともに、残りの粒状体が付加質量となって、有効質量の増大によって床衝撃音を効果的に防止できる。根太材２に限定されず、つなぎ材３の中空部に粒状体１３を充填しても良い。
【００５４】
なお、床の施工方法としては、枠体１ａ・１ｂを梁１０・１０に固定する前に各枠体１ａ・１ｂの根太材２の上面に床下地面材を工場等で予め貼り付けておき、その枠体１ａ・１ｂを建築現場へ搬送して梁１０・１０に固定する方法を採れば、施工の効率が一層向上する。
【００５５】
一方、先ず複数個の枠体１ａ・１ｂ・・・を梁１０・１０・・・の間に掛け渡して配置して、すべての枠体１ａ・１ｂを梁１０・１０に固定した後に、根太材２・２の上面に床下地面材を貼り付ける方法を採っても良い。こうすると、床下地面材を千鳥状に隙間無く施工でき、隙間を埋める材料を不要とできる。従って、この施工方法は、図１のように枠体１ａ・１ｂを間隔をあけて配置する場合に特に有効である。また、床下地面材を複数の枠体に掛け渡すように配置できるので、床構成材の剛性を一層向上させ得る。
【００５６】
以上に本発明の好適な実施形態および変形例を示したが、本発明の技術的範囲は以上の構成に限定されず、例えば以下に示す変更を加えて実施することができる。
【００５７】
（１）上記では枠体の根太材２の数は２本であったが、３本以上であっても良い。また、つなぎ材３の数も何本であっても良い。
【００５８】
（２）緩衝材２０は振動を吸収し得るものであればよく、その素材・形状は適宜のものを選択して良い。
【００５９】
（３）根太材２やつなぎ材３には中空部が形成されていなくても良く、また、粒状体１３は中空部内の一部にのみ充填されていても良い。
【００６０】
（４）図１の構成では枠体を１個飛ばしに配置したが、例えば枠体１個半や２個分以上の間隔をあけて配置しても良い。
【００６１】
（５）枠体を固定する相手としての梁の形状としては、Ｉ型に限らず、異型Ｈ型などを採用できる。
【図面の簡単な説明】
【００６２】
【図１】本発明の一実施形態に係る枠体を梁間に設置した様子を示す平面図。
【図２】同じく斜視図。
【図３】枠体の梁への固定箇所を詳細に示す拡大斜視図。
【図４】枠体を防振支持する変形例を示す拡大斜視図。
【図５】枠体の種々の変形例を示す平面図。
【図６】根太材の中空部に粒状体を充填した様子を示す断面図。
【符号の説明】
【００６３】
１ａ・１ｂ・１ｂ’・１ｂ”  枠体
２  根太材
３  つなぎ材
４  ボルト孔
５  固定ボルト
６  押さえ材
７  押さえ面
８  孔
９  ナット
１０  梁
１１  柱材
【図１】
2006083646.tif 000003
【図２】
2006083646.tif 000004
【図３】
2006083646.tif 000005
【図４】
2006083646.tif 000006
【図５】
2006083646.tif 000007
【図６】
2006083646.tif 000008